(57)【要約】【課題】畦畔散布機においては、圃場に対し常に単位面積あたりの散布量が均一であることが望まれる。しかし、薬剤散布開始時では動力散布の出力が安定するまでに時間を要するので、該出力安定までは均一に散布はできない。例えば、始動時の低出力では散布距離は短いので、前述した単位面積あたりの散布量は出力安定時のときより多くなってしまう。【解決手段】自走式の畦畔散布機１において、走行部に走行速度検知センサー６６を設け、動力散布装置１７の薬剤散布を駆動によるスピンナーの回転によって可能とし、該スピンナーの回転数検知センサー６５を設け、前記動力散布装置の薬剤タンクよりの散布薬剤量を制御する手段を設け、前記走行速度と、前記動力散布回転数の検知によって、制御部１５によって散布量を可変制御可能とした。【選択図】図１
2008272717.tif 000002
【特許請求の範囲】
【請求項１】
移動台車上に動力散布装置を配設し、該移動台車下部に走行駆動可能に走行輪を配置した自走式の畦畔散布機において、
走行部に走行駆動手段と走行速度検知手段を設け、前記動力散布装置のスピンナーにスピンナー回転駆動手段と回転数検知手段を設け、前記動力散布装置の薬剤タンク下部に繰出駆動手段と繰出量検知手段を設けて、それぞれ制御部と接続し、前記走行速度とスピンナーの回転数と散布薬剤量を制御可能とするとともに、作業開始時に、スピンナーの回転数が設定回転に上昇するまで、繰出量を最小とすることを特徴とする畦畔散布機。
【請求項２】
前記動力散布装置の散布スイッチと、走行駆動装置の走行スイッチと主スイッチと警報手段を制御部と接続し、該散布スイッチと走行スイッチが「入」の時に、主スイッチを「入」としても該動力散布装置と走行駆動手段は駆動しないように制御したことを特徴とした請求項１に記載の畦畔散布機。
【発明の詳細な説明】
【技術分野】
【０００１】
本発明は、動力散布装置を移動台車に搭載した畦畔散布機の技術に関する。
【背景技術】
【０００２】
従来、移動台車上に動力散布装置を配設し、該移動台車下部に走行駆動可能に走行輪を配置した自走式の畦畔散布機は公知となっている。
ここで、特許文献１では前記自走式の畦畔散布機において、走行輪をモーターで駆動し、走行部に走行速度検知手段を設けるとともに、動力散布装置の薬剤タンク下部にシャッターを設け、該シャッターを開閉駆動する手段と該シャッターの開度を検知する手段を設け、該開閉駆動手段と開度検知手段と前記モーターと走行速度検知手段をそれぞれ制御部と接続し、走行に連動してシャッターを開閉可能な構成としている。
前記畦畔散布機では、まず該畦畔散布機の走行、停止に合わせて薬剤の散布を開始、終了することができる。次に、該畦畔散布機の走行速度に合わせて薬剤の吐出量を増減でき、均一な散布を可能としている。
さらに、特許文献１では前記畦畔散布機において、距離センサーを設けて圃場の側方端までの散布距離を検知し、散布する圃場の側方までの距離を自動的に検知して、その距離と走行速度に合わせた薬剤の散布量を調整でき、変形した圃場であっても均一な薬剤散布を可能としている。
【特許文献１】特開２００５−８０３号公報
【発明の開示】
【発明が解決しようとする課題】
【０００３】
前述の技術背景を踏まえ、畦畔散布装置においては、圃場に対し常に単位面積あたりの散布量が均一であることが望まれる。
しかし、特許文献１記載の畦畔散布装置は、薬剤散布開始時では動力散布機の出力、つまり、薬剤を吹き飛ばすためのファンの回転が安定するまでに時間を要するので、該出力安定までは均一に散布はできない。例えば、始動時の低出力では散布距離は短いので、前述した単位面積あたりの散布量は出力安定時のときより多く、薬剤が届かない面積も大きくなってしまう。
なお、ここで動力散布とは一般にエンジン又はモーターによる駆動としている。
そこで、解決しようとする課題は、前述した動力散布の始動時から出力安定時など動力散布の出力が安定しない間の単位面積あたりの散布量を均一にすることである。
【課題を解決するための手段】
【０００４】
本発明の解決しようとする課題は以上の如くであり、次にこの課題を解決するための手段を説明する。
【０００５】
即ち、請求項１においては、移動台車上に動力散布装置を配設し、該移動台車下部に走行駆動可能に走行輪を配置した自走式の畦畔散布機において、走行部に走行駆動手段と走行速度検知手段を設け、前記動力散布装置のスピンナーにスピンナー回転駆動手段と回転数検知手段を設け、前記動力散布装置の薬剤タンク下部に繰出駆動手段と繰出量検知手段を設けて、それぞれ制御部と接続し、前記走行速度とスピンナーの回転数と散布薬剤量を制御可能とするとともに、作業開始時に、スピンナーの回転数が設定回転に上昇するまで、繰出量を最小とするものである。
【０００６】
請求項２においては、前記動力散布装置の散布スイッチと、走行駆動装置の走行スイッチと主スイッチと警報手段を制御部と接続し、該散布スイッチと走行スイッチが「入」の時に、主スイッチを「入」としても該動力散布装置と走行駆動手段は駆動しないように制御したことを特徴とした請求項１に記載の畦畔散布機である。
【発明の効果】
【０００７】
本発明の効果として、以下に示すような効果を奏する。
【０００８】
請求項１においては、自走式の畦畔散布装置において、動力散布起動時の低出力の状態でも均一に散布することができる。即ち、動力散布の起動時、安定時に係らず均一散布を実施できる。また、散布前の低出力による目詰まりも防止できる。
【０００９】
請求項２においては、作業場所以外で主スイッチを「入」とした時に、急発進して薬剤を噴出することがなく、操作を誤っても警報によって作業者はその間違いを容易に認識することができる。
【発明を実施するための最良の形態】
【００１０】
次に、発明の実施の形態を説明する。
図１は本発明に係る畦畔散布機の側面図、図２は同じく平面図、図３は同じく正面図である。図４は実際の散布作業の概略を示した平面図、図５は本発明実施例に係る制御ブロック図である。
ここで、図１及び図３で示す矢印α方向が前方を示している。
なお、本実施形態では、動力散布装置である薬剤散布をモーター駆動による回転羽根（以下スピンナー）の回転にて行い、薬剤散布量の調整を薬剤タンク下部に設けたモーター駆動による切り欠きを設けた水平目皿の回転にて行い、走行をモーター駆動にて行う実施形態を示している。しかし、例えば駆動をモーターではなくエンジン出力で実施する場合も、本実施形態同様であることは言うまでもない。
【００１１】
図１乃至図３より、畦畔散布機１の全体構成について説明する。
畦畔散布機１は、走行部となる自走台車１６及び動力散布装置１７により構成され、該動力散布装置１７は自走台車１６のフレーム１０上後部に載置されている。従って、畦畔散布機１は走行可能な自走台車１６上に動力散布装置１７を配設するので、該動力散布装置１７を作動させ、薬剤もしくは肥料を散布しながら、移動することができる。
【００１２】
前記自走台車１６では、フレーム１０の後部に上後方へ伸びるハンドル５・５の基部を配設し、該ハンドル５近傍を操作部６（図符号なし）としている。
そして、前記自走台車１６の下部には駆動輪である前輪９及び後輪１１が配設されて、オペレータはハンドル５・５を持って、自走台車１６の押し引き及び方向転換を行うよう構成されている。
また、移動台車１６の中央部には走行駆動部２１が構成されており、該走行駆動部２１により前輪９及び後輪１１を駆動できる構成になっている。
さらに、前後二輪で構成された自走台車１６を立った状態に保持するために、スタンド１４が後輪１１の後部（または前輪９の前部）に設けられている。スタンド１４は、背面視略Ｕ字状であり幾分裾広がりに形成されて安定性が付与される。
【００１３】
ここで、畦畔散布機１について、走行部となる前記自走台車１６の構成から詳細に説明する。
前述の如く自走台車１６は、フレーム１０、前輪９及び後輪１１から構成されている。前輪９及び後輪１１は移動台車１６に夫々一輪ずつ備えられており、前輪９と後輪１１が自走台車１６の左右略中央で前後方向略同一直線（図２乃至図３の直線Ｘ−Ｘ）上に位置している。
該フレーム１０は平面視口状に形成されていて、下部に側面視門状の下部フレーム８・８を接続している。
フレーム１０には、車体後方から順に操作部６、バッテリー１２、走行駆動部２１、動力散布装置１７が配設されている。また下部フレームは前輪軸９ａ、後輪軸１１ａを支持している。
【００１４】
前記走行駆動部２１は前部フレーム１０の中央下部に固定された載置板１３（図符号なし）上に配設されており、前輪９と後輪１１の前に位置し、該走行駆動部２１により該前輪９及び後輪１１を駆動する構成としている。該走行駆動部２１は走行モーター４１やスプロケットやチェーン等を備え、バッテリー１２の電力により走行モーター４１を駆動し、該駆動力を駆動チェーン４２・４２により前輪軸９ａ及び後輪軸１１ａに伝達し、前輪９及び後輪１１を回転駆動している。なお、バッテリー１２の異常などを操作者に知らせるバッテリーチェッカー５４がバッテリー１２の上面に配置されているが、作業者が目視にて確認することができる位置ならば本実施形態の如く限定するものではない。
また、ここで走行駆動部２１は前輪９と後輪１１の両方を駆動する構成としているが、前後一方、または、両方をそれぞれ独立に駆動する構成とすることも可能である。
【００１５】
ここで、走行駆動部２１には、その出力である速度を検知する手段として走行速度検知センサー６６が設けられており、検知した速度を制御部１５に入力する。
さらに、前輪軸９ａ及び後輪軸１１ａはワンウェイクラッチを介して走行モーター４１と連結されている。つまり、駆動輪の車軸はワンウェイクラッチを介して伝達される構成としている。
【００１６】
次に、前記動力散布装置１７について説明する。
プレートを折り曲げて構成した支持部材４３が、フレーム１０の前後中央部から車体後方に延設され、該支持部材４３上に動力散布装置１７を載置支持している。
動力散布装置１７は、散布に必要な薬剤を適正量繰り出す繰出部４６と、散布放出する散布部４５から構成される。
【００１７】
ここで散布部４５において、軸心を前後水平方向に向けた円筒状のファンケース中央に散布モーター４４を配設し、該散布モーター４４の出力軸をファンケース内に挿入し、該出力軸上にスピンナー６を固設している。該スピンナー６は円盤状の回転体の一側面に均等角度ごとに中心から円周方向（半径方向）へ板状羽根４８を立設し、前記散布モーター４４の駆動によりスピンナー６を回転させて、薬剤を拡散羽根４８部分に供給することにより、薬剤を放擲して散布することができる。
ここで、該散布モーター４４は前記バッテリー１２の電力によって駆動する。さらに、該散布部４５にはその出力である回転数を検知するスピンナー回転数センサー６５が設けられており、検知した回転数を制御部１５に入力する。
また、前記ファンケースの上部左右両側には角管状の散布口５７・５７が斜め外上方に向けて開口され、該散布口５７・５７の基部のスピンナー６の上方に散布方向調節器５５が配設されている。該散布方向調節器５５の内部には、薬剤を左右それぞれの方向に誘導するための方向板５９が配設されており、該方向板５９は左右中央を回転軸に固定されて、該回転軸はツマミ５６と連結されて、該ツマミ５６を回動することにより方向板５９の傾斜を変更して放擲方向を変更し、薬剤の左右散布方向を変更できるようにしている。
つまり、散布方向は散布モーター４４の回転方向とツマミ５６によって決定される。該散布モーター４４の回転方向とツマミ５６の回動を連動するように構成することもできる。
【００１８】
また、繰出部４６は車体の上方に突出した薬剤ホッパー２の下方かつ前記支持部材４３の上方に配設され、該薬剤ホッパー２に充填された薬剤を設定量ずつ繰り出すことができる。該薬剤ホッパー２は上部に蓋を設け散布する薬剤を補給できるようになっている。
繰出部４６では、繰出ケース６１の底面に切り欠き又は穴の開いた水平目皿６８を配設し、該水平目皿２２の回転速度の調整によって、適量な薬剤を漏斗状の繰出口６０に落下させる構成としている（繰出調整駆動部２２）。この水平目皿６９を用いた水平目皿式の繰り出し方法は、目皿の交換によって大きさの異なる薬剤にも対応できる。該繰出口６０の下部には導入パイプ７が連通され、該導入パイプ７の下端はスピンナー６の中心部延設され、拡散羽根４８の上部に薬剤が落下するようにしている。こうして繰出口６０から落下した薬剤は導入パイプ７を通過して、前記散布部４５に導かれる。ここで水平目皿６８は、バッテリー１２の電力によって駆動される繰出モーター６２によって回転する。
なお、本実施形態では繰出部として水平目皿式としたが、例えば溝を設けたロールを回転させ繰出し量を調整する横溝ロール式や、単純にシャッターの開閉による繰り出し装置なども考えられ、繰り出し方法としては本実施形態に限定されることはない。
ここで、繰出部４６の開度即ち回転数は検知手段として回転数センサー等の繰出量検知センサー６７により検知される。詳しくは後述するが、繰出量調整駆動部２２は制御部１５と接続され、繰出量は逐一制御部１５から出力される。
【実施例１】
【００１９】
次に、本発明の実施例に係る散布作業の具体例を図４を用いて説明する。
前述したように、圃場での薬剤散布は単位面積あたりの散布量を均一にしなければならない。該単位面積あたりの散布量をｍは、ｍ＝Ｍ／（Ｘ・Ｙ）・・・・（１）で表すことができる。ここで、Ｘは動力散布Ｎに比例する散布距離、Ｙは走行距離、Ｍは実際の散布量即ち繰出量調整駆動部２２にある水平目皿６９の回転による繰出量を表している。つまり、単位面積あたりの散布量は実際の散布量を散布面積にて除した量にて表すことができる。
ここで、走行距離Ｙは、速度Ｖが一定であれば、単位時間あたりの変化量は一定である。
そこで、畦畔散布機が一定速度Ｖにて走行している場合では、式（１）中にてＸは動力散布に比例する散布距離Ｘのみが変数となる。即ち、散布面積はＸに依存する変化量となる。
そこで、単位面積あたりの散布量をｍを一定にしようとするならば、実際の散布量Ｍを散布距離Ｘと走行速度Ｖに応じた変化量にすればよい。ここで、該変化量の決定は経験に応じた手段に基づく。
以上、実際の散布量を動力散布の出力と走行速度により決定することにより、均一な薬剤散布を実施することができる。
【００２０】
ここで、作業開始時には、走行と散布を同時に開始しなければならないので、走行モーター４１と散布モーター４４を同時に起動するとバッテリー１２からの電力供給が一時的に不足し、散布モーター４４の回転数が不足して薬剤を所定量均一に散布することはできない。そこで、作業開始時において、散布モーター４４が回転駆動された後であって、該散布モーター４４の回転数を検知するスピンナー回転数センサー６５の値が設定回転数よりも低いときには、繰出量調整駆動部２２の水平目皿６９の回転数を最小値とし、散布量を最小とする。つまり、散布作業開始時は最低の散布量は確保しておく。そして、散布モーター４４の回転数が設定値まで達すると繰出量調整駆動部２２の水平目皿６９の回転数を設定値まで回転させるのである。更に、走行速度も散布モーター４４が設定回転数に上昇するまでは、最低速度（微速）として、散布モーター４４が設定回転数に上昇すると、設定速度にまで上昇させ、作業時は散布モーター４４の回転数は設定回転として、繰出量調整駆動部２２の水平目皿６９の回転数と走行速度が比例するように駆動する。
【００２１】
従来は、作業開始時において、散布モーター４４と走行モーター４１を同時に起動したときには、両者の回転数が設定回転数に達するのに時間がかかり、散布ムラも生じていた。ここで、両者起動時の不安定なときには散布量も走行速度も小さくして散布ムラの面積を最小限として、散布モーター４４の回転数が設定回転に安定したので、設定速度で走行して均一に散布できる面積をできるだけ大きくすることができた。
【００２２】
前述の具体例の制御ブロック図を図５に示す。
即ち、動力散布の出力として散布駆動部３の回転軸部に設けたスピンナー回転数センサー６５にて検知した回転数と、走行速度として走行駆動部２１の回転軸部に設けた走行速度検知センサー６６にて検知した回転数を制御部１５に送り、それらを踏まえ適正な繰出量となるように繰出量調整駆動部２２にて水平目皿６９の回転量を調整する。
以上の制御方法によって、例えば散布駆動部３の起動時にて出力が低く安定しないときは、該低出力に応じた少ない散布量が供給され、期待した単位面積あたりの薬剤散布を実現できる。このことは、散布駆動部３が低出力であるのに過剰供給となった薬剤が目詰まりを起こすことも防止できる。
【実施例２】
【００２３】
次に、走行駆動の実施例について説明する。
まず、走行駆動部２１から駆動チェーン４２・４２を介して前輪９及び後輪１１を駆動すると、２輪駆動となり悪路などでの駆動力を高めることができ、走行を安定させることができる。さらに、後輪１１と後輪軸１１ａの間にワンウェイクラッチを介していることにより、前輪９を持ち上げることで、後輪１１のみにて手押しにて移動することが可能である。つまり、前輪９は走行駆動部２１と連動連結されているので、走行駆動部２１で歯車が噛み合っていると自由に回転できないことがあるが、ワンウェイクラッチで空回りさせることにより、後輪１１のみで前進させることができるのである。さらに、後輪１１のみ接地させていれば、１点で接地して接地抵抗が小さいため方向転換も容易にできる。
【実施例３】
【００２４】
さらに、本発明の実施例に係る操作の具体例を説明する。
畦畔散布機１において、動力散布機である散布駆動部３の散布スイッチ５１と、走行駆動部２１の走行スイッチ５２を制御部１５設け、畦畔散布機１本体の主スイッチ５０を同じく制御部１５に設けた構成とする。
ここで、前記送風駆動部３の散布スイッチ５１と、前記走行駆動部２１の走行スイッチ５２が入であった場合で、前記主スイッチ５０を入としても、送風駆動部３と走行駆動部２１は駆動させずに、バッテリー上面にある警報手段としてのバッテリーチェッカー５４の警告ランプを点灯または点滅することにする。但し、警報手段としてブザーやスピーカによる音等で構成することもでき、限定するものではない。
【００２５】
つまり、畦畔散布機１の運転の際には、１次側スイッチである主スイッチ５０、２次側スイッチである散布駆動部３の散布スイッチ５１と走行駆動部２１の走行スイッチ５２において、１次スイッチ、２次スイッチの順にスイッチを入れることを規則化し、それ以外は運転できない構成とする。
これによって、散布スイッチ５１または走行スイッチ５２を「入」としたまま主スイッチ５０を「切」として、作業を中止したり、格納したりした場合、主スイッチ５０を「入」としたときに急に発進したり、薬剤が散布されたりすることなく、作業者にランプの点滅等で容易に誤操作したことが判るようになる。
【図面の簡単な説明】
【００２６】
【図１】本発明に係る畦畔散布機の側面図。
【図２】同じく平面図。
【図３】同じく正面図。
【図４】実際の散布作業の概略を示した平面図。
【図５】本発明実施例に係る制御ブロック図。
【符号の説明】
【００２７】
１    畦畔散布機
１５    制御部
６５    スピンナー回転数センサー
６６    走行速度検知センサー
【図１】
2008272717.tif 000003
【図２】
2008272717.tif 000004
【図３】
2008272717.tif 000005
【図４】
2008272717.tif 000006
【図５】
2008272717.tif 000007